(57)【要約】【課題】  圧電振動子は、パッケージ内部の残留ガスにより特性が変化する。【解決手段】  圧電振動片を気密封止した圧電振動子の製造方法において、ケースに金属蓋を仮配置する蓋搭載工程と、金属蓋の一辺の両端部を仮止めする仮止め工程と、仮止めした後、真空雰囲気で熱処理し、脱ガスする熱処理工程と、仮止め工程で両端部を仮止めした一辺と、両端部を仮止めした一辺と対向する辺とをシーム溶接する第一接合工程と、仮止め工程で仮止めした両端部から、前記第一接合工程で接合されていない前記金属蓋の対向する辺を、シーム溶接する第二接合工程と、を備える圧電振動子の製造方法とする。【選択図】  図１
2014230015.tif 000002
【特許請求の範囲】
【請求項１】
接合材料として機能する接合層を備える金属蓋と、圧電振動片を収容する収容凹部を備え、該収容凹部の開口端部に前記金属蓋との接合用金属膜を備えるケースとからなるパッケージに、圧電振動片を気密に封止する圧電振動子の製造方法において、
前記ケースに前記金属蓋を仮配置する蓋搭載工程と、
前記金属蓋の一辺の両端部を仮止めする仮止め工程と、
前記仮止めした後、真空雰囲気で熱処理し、脱ガスする熱処理工程と、
前記仮止め工程で両端部を仮止めした一辺と、該一辺と対向する辺とをシーム溶接する第一接合工程と、
前記仮止め工程で仮止めした両端部から、前記第一接合工程で接合されていない前記金属蓋の対向する辺を、シーム溶接する第二接合工程と、
を備えることを特徴とする圧電振動子の製造方法。
【請求項２】
前記パッケージは矩形であり、前記仮止め工程で仮止めする前記金属蓋の一辺が、前記金属蓋の長辺部であることを特徴とする請求項１記載の圧電振動子の製造方法。
【請求項３】
前記金属蓋の少なくとも一主面には、厚さが１２μｍ以下のクラッド層で前記接合層が形成されていることを特徴とする請求項１または２に記載の圧電振動子の製造方法。
【発明の詳細な説明】
【技術分野】
【０００１】
本発明は、パッケージ内に圧電振動片を封止した圧電振動子の製造方法に関するものである。より詳しくは、圧電振動子のパッケージ内から、容易かつ良好に、脱ガスを行なう封止方法に関するものである。
【背景技術】
【０００２】
従来より、圧電振動片は、セラミックパッケージなどの密封容器に収容され、セラミック製のケースと金属製の蓋とを接合する封止工程には、さまざまな工夫が行なわれている。
【０００３】
セラミック製のケースと金属製の蓋との接合方法として、特許文献１や特許文献２に示されるようなシーム溶接や、陽極接合など、さまざまな接合方法が用いられている。
【０００４】
従来、シーム溶接では、シームリングを介して、ケースと蓋とを接合していたが、パッケージの低背化や、低コスト化が求められる中で、シームリングを用いないで、蓋の接合面に接合層として機能するクラッド材を配置し、ケースの接合部に設けられた金属層と接合させるダイレクトシームが用いられるようになった。
【０００５】
また、パッケージ内に圧電振動片を封止した圧電振動子において、パッケージ内に残留したガスが、圧電振動片の安定動作に悪影響を及ぼすことも、広く知られており、多様な接合方法が用いられる中でも、パッケージ内の脱ガスという課題は共通している。
【先行技術文献】
【特許文献】
【０００６】
【特許文献１】特開２００６−１１４７１０号公報
【特許文献２】特開２００７−８８９６６号公報
【発明の概要】
【発明が解決しようとする課題】
【０００７】
従来の技術では、蓋の長辺や短辺をスポット溶接して、蓋を仮止めするもの（図３）は、蓋の変形や、変形に伴う接合後の残留応力を低減させることは考慮されているが、パッケージ内部の脱ガスに関しては、最適化されていない。
【０００８】
さらに、パッケージの小型化・薄型化が進む中で、クラッド層も、薄く形成されるようになり、１２μｍ以下のクラッド層を備えた金属蓋が用いられるようになると、ケースに金属蓋を仮止めする際、蓋の長辺や短辺でスポット溶接すると、ケースと金属蓋との間隙が狭くなり、仮止めした圧電振動子を熱処理しても、脱ガスが十分に行なわれず、封止後のパッケージ内部のガスの影響で、圧電振動子の特性が変化してしまうという不具合が生じる。また、この現象はパッケージの小型化も関連しており、封止距離が短くなることも不利な方向になっている。
【０００９】
本発明は、パッケージ内の脱ガスを良好に行なうことを可能とし、品質の安定した圧電振動子の製造方法を提供するものである。
【課題を解決するための手段】
【００１０】
接合材料として機能する接合層を備える金属蓋と、圧電振動片を収容する収容凹部を備え、収容凹部の開口端部に金属蓋との接合用金属膜を備えるケースとからなるパッケージに、圧電振動片を気密に封止する圧電振動子の製造方法において、ケースに金属蓋を仮配置する蓋搭載工程と、金属蓋の一辺の両端部を仮止めする仮止め工程と、仮止めした後、真空雰囲気で熱処理し、脱ガスする熱処理工程と、仮止め工程で両端部を仮止めした一辺と、両端部を仮止めした一辺と対向する辺とをシーム溶接する第一接合工程と、仮止め工程で仮止めした両端部から、第一接合工程で接合されていない金属蓋の対向する辺を、シーム溶接する第二接合工程と、を備える圧電振動子の製造方法とする。
【００１１】
さらに、パッケージは矩形であり、仮止め工程で仮止めする前記金属蓋の一辺が、金属蓋の長辺である圧電振動子の製造方法とする。
【００１２】
また、金属蓋の少なくとも一主面には、厚さが１２μｍ以下のクラッド層で接合層が形成されている圧電振動子の製造方法とする。
【発明の効果】
【００１３】
本発明により、パッケージ内の脱ガスを良好に行なうことが可能となり、品質の安定した圧電振動子を製造することが可能となった。
【００１４】
本発明の圧電振動子の製造方法
【図面の簡単な説明】
【００１５】
【図１】本発明における封止プロセスを説明する図
【図２】本発明における仮止め状態を説明する図
【図３】従来の仮止め状態を説明する図
【発明を実施するための形態】
【００１６】
本発明を、音叉型水晶振動片をセラミック製のケースと金属蓋とからなるパッケージに封止する工程を例に、図を用いて説明する。図１は、本発明における封止プロセスを説明する図である。図２は、本発明における仮止め状態を説明する図である。
【００１７】
セラミック製のケース３は、音叉型水晶振動片１を収容する収容凹部を備え、収容凹部底面には、音叉型水晶振動片１を電気的・機械的に接続固定する実装端子を備えており、収容凹部を形成する側壁の上面には、金属蓋を接合するための接合用金属膜６、例えば、下地にＮｉ層、上層にＡｕ層が形成されている。ケース３の外側底面には、回路基板に実装するための外部端子を備えており、収容凹部の実装端子と電気的に接続されている。
【００１８】
金属蓋２は、コバールを基材として、ケースとの接合面側に、約２０μｍのＣｕ層を設け、Ｃｕ層上に、接合層５として、８μｍ±４μｍのＡｇ−Ｃｕ−Ｓｎ合金のクラッド層を形成している。
【００１９】
図１（ａ）に示すように、セラミック製のケース３の収容凹部底面の実装端子に、ディスペンサーで導電性接着剤を塗布し、音叉型水晶振動片１を搭載する。
【００２０】
音叉型水晶振動片１を搭載したケース３の収容凹部を覆うように、金属蓋２を搭載する（蓋搭載工程）。金属蓋２の搭載には、既知の画像認識や機械的な位置決め手段を用いて行なう。
【００２１】
図１（ｂ）に示すように、金属蓋２の一つの長辺の両端部を仮止めする。仮止めには、シーム用の電極ローラーを、一つの長辺の両端部に点接させ、接合層５を溶融させる。実際には、長辺の両端部のみではなく、その周辺である短辺の一部や、長辺の内側の接合層５も溶融し、接合する。金属蓋２の一辺の両端部で仮止めするので、仮止め位置７から金属蓋２そのものが大きく変形することも無く、また、クラッド層で形成された接合層５は、メッキ等で形成された従来の接合層と比較して、非常に薄いため。接合層５の溶融での変形量も抑えられ、仮止めしていない金属蓋２の長辺とケースとの間に適度な間隙が得られる（図２）。なお、仮止めは、レーザーを用いても良く、その際は、位置決め手段で、金属蓋２の仮止めする長辺を押圧する。
【００２２】
ケース３に金属蓋２を仮止めしたのち、真空雰囲気下で、熱処理を行い、ケース内部の脱ガスを行なう。脱ガス工程は、ダイレクトシーム装置に組み込み、真空雰囲気下で連続して行なうことが望ましい。
【００２３】
次いで、図１（ｃ）に示すように、第一接合工程で、金属蓋２の対向する長辺に、電極ローラー９を転接させて、対向する長辺を接合する。第一接合工程においても、音叉型水晶振動子１０は、高温になるため、ケース内部にガスが発生したとしても、ケース３と金属蓋２の短辺との間隙から、排出される。
【００２４】
次いで、図１（ｄ）に示すように、第二接合工程で、金属蓋２の対向する短辺に、電極ローラー９を転接させて、対向する短辺を接合する。先に述べたとおり、金属蓋２の変形は非常に少ないが、始点と終点が接合されている第二接合工程では、金属蓋２の変形量がより少ない短辺を接合することが望ましい。
【００２５】
音叉型水晶振動片１をパッケージ内に気密封止した音叉型水晶振動子１０は、ダイレクトシーム装置から搬出される（図１（ｅ））。
【００２６】
本実施例では、矩形のパッケージを例示したが、正方形のパッケージの場合は、４辺のいずれか一辺の両端を仮止めし、仮止めした一辺と、仮止めした一辺に対向する辺とを第一接合工程で接合し、第二接合工程では、残りの二辺を接合すればよい。
【００２７】
また、本発明は、音叉型水晶振動子に限定するものではなく、厚みすべり振動子を用いた発振器など、気密封止パッケージに適用可能である。
【符号の説明】
【００２８】
１  音叉型水晶振動片
２  金属蓋
３  ケース
５  接合層
６  接合用金属膜
７  仮止め位置
９  電極ローラー
１０  音叉型水晶振動子
【図１】
2014230015.tif 000003
【図２】
2014230015.tif 000004
【図３】
2014230015.tif 000005